(57)【要約】【課題】安定して設置することができる外壁塗装装置を提供する。【解決手段】外壁塗装装置は、塗装機本体付垂直レールと、一組の水平レール３、３とを備えている。水平レール３、３は、建物の外壁に沿って水平に配置されており、塗装機本体付垂直レール（塗装機本体）を移動可能に支持するものである。各水平レール３には係止部８が設けられている。この係止部８が、足場用の支柱１２に設けられている受け部１４に係止することにより、各水平レール３は受け部１４に着脱可能とされている。【選択図】図６
2012017582.tif 000002
【特許請求の範囲】
【請求項１】
建物の外壁に塗料を吹き付ける塗装機本体を移動可能に直接または間接的に支持するレールが、前記建物の外壁に沿って立設された足場の支柱に設けられた受け部に着脱可能とされていることを特徴とする外壁塗装装置。
【請求項２】
前記受け部が、前記足場に本来設けられている足場板や手摺棒を受けるための汎用の受け部であり、この汎用の受け部に前記レールが着脱可能とされたことを特徴とする請求項１に記載の外壁塗装装置。
【請求項３】
前記受け部は、前記支柱の周面に設けられた平面視コ字型の部材であり、この受け部に係止する係止部が前記レールの両端部に設けられていることを特徴とする請求項１または請求項２に記載の外壁塗装装置。
【請求項４】
前記係止部に加えて、前記支柱の周面に当接する当接部が前記レールの両端部に設けられていることを特徴とする請求項３に記載の外壁塗装装置。
【請求項５】
前記レールは、前記建物の外壁に沿って水平に配置された水平レールであり、この水平レールは上下に２本配置されて、双方の水平レール間には、前記塗装機本体を垂直方向に移動可能に支持する垂直レールが設けられ、前記双方の水平レールは、この垂直レールを水平に移動可能に支持することを特徴とする請求項１〜請求項４のいずれか１項に記載の外壁塗装装置。
【請求項６】
前記レールは、前記建物の外壁に沿って水平に配置された水平レールであり、この水平レールは、前記外壁の角部に対応して平面視で弧状の部分を有していることを特徴とする請求項１〜請求項５のいずれか１項に記載の外壁塗装装置。
【請求項７】
前記レールは、前記建物の外壁に沿って水平に配置された水平レールであり、この水平レールは延設方向に少なくとも２本連続して設けられ、隣接する２つの前記係止部が共通の前記受け部に取り付けられていることを特徴とする請求項１〜請求項６のいずれか１項に記載の外壁塗装装置。
【発明の詳細な説明】
【技術分野】
【０００１】
本件発明は、建物の外壁を塗装するために使用される外壁塗装装置に関する。
【背景技術】
【０００２】
従来より、建物の外壁を塗装する際には、例えば特許文献１に示すような外壁塗装装置が使用されている。この外壁塗装装置は、外壁に塗料を吹き付ける塗装機本体と、レールとを備えている。レールは塗装機本体を移動可能に支持するものであり、外壁に沿って水平に配置されている。具体的には、このレールは、外壁の周囲に設置されている壁つなぎ間に掛け渡されている。
【先行技術文献】
【特許文献】
【０００３】
【特許文献１】特開２００１−１４０４６１号公報
【発明の概要】
【発明が解決しようとする課題】
【０００４】
しかしながら、壁つなぎは建物の所定の取付部分に取り付けられるので、レールの取付位置は、この取付部分の位置に限定される。このため、取付部分の位置によっては、レールを安定して設置することができない。したがって塗装機本体も安定して設置することができないので、外壁塗装装置を安定して設置することができなかった。
【０００５】
本件発明は、このような従来の課題に鑑みてなされたものであり、安定して設置することができる外壁塗装装置を提供することを目的とする。
【課題を解決するための手段】
【０００６】
本件発明者等は、鋭意研究の結果、前記課題を解決するために以下のような外壁塗装装置を採用した。
【０００７】
本件発明の外壁塗装装置は、建物の外壁に塗料を吹き付ける塗装機本体を移動可能に直接または間接的に支持するレールが、前記建物の外壁に沿って立設された足場の支柱に設けられた受け部に着脱可能とされていることを特徴としている。
【０００８】
ここで、受け部は、足場に本来設けられている足場板や手摺棒を受けるための汎用の受け部であり、レールは、この汎用の受け部に着脱可能とされることが好ましい。なお、汎用の受け部とは、レール専用の受け部ではなく、足場板や手摺棒を受けるための既存の受け部や、既存の受け部の一部を改良したものである。
【０００９】
また、受け部は、支柱の周面に設けられた平面視コ字型の部材であり、この受け部に係止する係止部をレールの両端部に設けても良い。
【００１０】
また、係止部に加えて、支柱の周面に当接する当接部をレールの両端部に設けても良い。
【００１１】
また、レールは水平レールでも良い。この場合には、水平レールを建物の外壁に沿って水平に且つ上下に２本配置して、双方の水平レール間に、塗装機本体を垂直に移動可能に支持する垂直レールを設け、双方の水平レールは垂直レールを水平に移動可能に支持するようにすることが好ましい。
【００１２】
また、水平レールは、外壁の角部に対応して平面視で弧状の部分を有していることが好ましい。
【００１３】
また、水平レールを延設方向に少なくとも２本連続して設け、隣接する２つの係止部を共通の受け部に取り付けるようにしても良い。
【発明の効果】
【００１４】
本件発明の外壁塗装装置は、レールを足場用の支柱に取り付けるようにしたことにより、レールの取付位置を自由に設定することが可能になる。したがって、レールを安定して設置することが可能になり、これに伴い塗装機本体も安定して設置することが可能になる。よって、本件発明の外壁塗装装置は安定して設置することができる。
【図面の簡単な説明】
【００１５】
【図１】本件発明の一実施の形態を示す外壁塗装装置と足場の斜視図である。
【図２】同実施の形態の受け部の斜視図である。
【図３】同実施の形態においてコーナーレールを足場に取り付けた状態の斜視図である。
【図４】図３において係止部の取付状態の拡大図である。
【図５】図４において係止部の正面図である。
【図６】同実施の形態においてコーナーレールと直線レールを足場に取り付けた状態の斜視図である。
【図７】図６のコーナーレールと直線レールの接続部分の斜視図である。
【発明を実施するための形態】
【００１６】
以下、本件発明の実施の形態を図にしたがって説明する。
【００１７】
図１は、本件発明の一実施の形態を示す外壁塗装装置１と足場１１の斜視図である。まず、足場１１について説明する。足場１１は、周知のように建物の外壁（図示せず）の周囲に配置される。図１では、足場１１において外壁の角部を中心とした部分を内側から視た状態を示している。
【００１８】
この足場１１は、外壁に沿って立設された複数の足場用の支柱１２と、支柱１２、１２間に掛け渡された足場板１３とを備えている。
【００１９】
また、この足場１１では、図２に示すように各支柱１２の周面１２ａに受け部１４が設けられている。この受け部１４は、足場１１本来に設けられている手摺棒１５（図１参照）や足場板１３等の真っ直ぐな部材（水平部材）を複数の支柱１２に係止させて水平に取り付けるものであり、既存の部材である。
【００２０】
この受け部１４は、支柱１２の周面１２ａの左右方向と内外方向に設けられている。各受け部１４は平面視コ字型に形成されており、支柱１２の周面１２ａとの間に隙間Ｓを形成している。手摺棒１５を支柱１２に取り付ける際には、この隙間Ｓに手摺棒１５の先端部分を差し込む。
【００２１】
なお、受け部１４は、本実施の形態のように平面視コ字型に形成されていなくても良く、手摺棒１５や足場板１３等の水平部材を複数の支柱１２に係止させるように形成されていれば良い。
【００２２】
次に、外壁塗装装置１について説明する。図１に示すように、外壁塗装装置１は足場１１に取り付けられている。この外壁塗装装置１は、塗装機本体付垂直レール２と、一組の水平レール３、３とを備えている。
【００２３】
一組の水平レール３、３は、塗装機本体付垂直レール２を外壁に沿って水平に移動可能に支持するものである。この水平レール３、３は、足場１１の上部と下部に外壁に沿って水平に取り付けられている。
【００２４】
一方、塗装機本体付垂直レール２は、外壁の塗装を行うものである。塗装機本体付垂直レール２は、垂直レール２１と、塗装機本体２２と、制御装置２３とを備えている。垂直レール２１は、双方の水平レール３、３に掛け渡されて水平に移動可能に支持されている。塗装機本体２２は、外壁に塗料を吹き付けるものである。この塗装機本体２２は、垂直レール２１に上下に移動可能に支持されており、塗料を噴出するためのノズル等を備えている。制御装置２３は、塗装機本体２２の各種の動作（ノズルによる塗料の噴出、上下移動等）を制御するものであり、これらの動作を制御するための操作ボタンを備えている。
【００２５】
次に、水平レール３の構造について説明する。水平レール３は、受け部１４に着脱可能とされている。さらに、水平レール３は、延設方向に少なくとも２本連続して設けられており、コーナーレール４と直線レール５とを備えている。
【００２６】
まず、コーナーレール４について説明する。コーナーレール４は、外壁（図示せず）の角部に沿ってＬ字状に配置される。図３に示すように、このコーナーレール４は、レール本体６と、当接部７と、係止部８とを備えている。
【００２７】
レール本体６は、角部に沿ってＬ字状に形成されており、角部に対応する部分は平面視で弧状に形成されている。また、レール本体６は内側（外壁側）が開口した断面コ字型に形成されている。これにより、レール本体６の内側にはガイド溝６ａが長さ方向に形成されている。このガイド溝６ａは、上記で説明した垂直レール２１を水平に移動可能に支持するように形成されている。
【００２８】
当接部７は、レール本体６の曲がり角部６ｂの上面に設けられている。この当接部７は、曲がり角部６ｂの前方にある支柱１２の周面１２ａに当接するように形成されている。具体的に説明すると当接部７は、支柱１２に届くように長板状で且つ上方へ向いた断面コ字型に形成されており、先端側の部分７ａが平面視Ｕ字状に形成されている。当接部７は、この先端側の部分７ａが支柱１２の周面１２ａを挟むことによって支柱１２の周面１２ａに当接している。
【００２９】
係止部８は、レール本体６の両端部に外嵌されている。この係止部８は、図４に示すように、手摺棒１５（図１参照）が差し込まれない受け部１４に着脱可能に係止するものである。本実施の形態の場合は、内側の受け部１４である。この係止部８は、レール固定部８１と、爪部８２と、上当接部８３と、下当接部８４とを備えている。なお、上当接部８３と下当接部８４は、本件発明の当接部である。
【００３０】
レール固定部８１は、図５にも示すように、右側（外壁側）へ開口した断面略コ字状に形成されている。これにより、レール固定部８１の右側には開口部８１ａが形成されており、この開口部８１ａでレール本体６を外嵌している。
【００３１】
爪部８２は、レール固定部８１の上部８１ｂの左側（支柱１２側）に結合されている。この爪部８２は、図４に示すように、受け部１４に引っ掛けて係止するように形成されている。具体的には、この爪部８２は、下方に延びる鉤状に形成されている。
【００３２】
上当接部８３は、爪部８２の左端部の後面に結合されている。この上当接部８３は、爪部８２とともに受け部１４に引っ掛けて係止するように形成され、さらにこの状態で支柱１２の周面１２ａに当接するように板状に形成されている。
【００３３】
一方、下当接部８４は、レール固定部８１の下部８１ｃの左側に結合されている。この下当接部８４は左方へ延びており、爪部８２と上当接部８３が受け部１４に係止した状態で支柱１２の周面１２ａに当接するように形成されている。
【００３４】
そして、このコーナーレール４を足場１１に取り付ける際には、作業者はレール本体６を持って、図３に示すように、曲がり角部６ｂに設けられている当接部７を前方の支柱１２に当てながら両端側の係止部８、８をそれぞれ受け部１４に引っ掛けて係止する。
【００３５】
次に、直線レール５について説明する。図６に示すように直線レール５は、外壁の角部以外の部分（図示せず）に沿って直線状に配置されている。この直線レール５は、レール本体９と、係止部８と、補強部材１０とを備えている。
【００３６】
レール本体９は直線状に形成されており、さらに内側（外壁側）へ開口した断面コ字型に形成されている。これによりレール本体９の内周側には、ガイド溝９ａが長さ方向に形成されている。このガイド溝９ａは、上記で説明したコーナーレール４のガイド溝６ａと同じものであり、上記で説明した垂直レール２１を水平に移動可能に支持するように形成されている。
【００３７】
係止部８は、レール本体９の両端部に外嵌されている。この係止部８はコーナーレール４の係止部８と同じものであり、レール固定部８１と、爪部８２と、上当接部８３と、下当接部８４とを備えている。これらの構造については、コーナーレール４の係止部８のところで説明した通りである。
【００３８】
補強部材１０は、レール本体９の外面の係止部８、８の間の部分に外嵌している。この補強部材１０は外壁側へ開口した断面略コ字型に形成されている。補強部材１０は、この外壁に形成された開口部（図示せず）によりレール本体９に外嵌されている。
【００３９】
そして、この直線レール５を足場１１に取り付ける際には、作業者はレール本体９を持って、両端側の係止部８、８をそれぞれ受け部１４に引っ掛けて係止する。これにより、直線レール５がコーナーレール４の両端に接続される。なお、図６ではコーナーレール４の一端側に直線レール５が接続された状態を示す。
【００４０】
このように本実施の形態の外壁塗装装置１では、水平レール３を足場１１に取り付けるようにした。これにより、外壁塗装装置１の取付位置を自由に設定することが可能になる。したがって、水平レール３を安定して設置することが可能になり、これに伴い塗装機本体２２も安定して設置することが可能になる。よって、本実施の形態の外壁塗装装置１は安定して設置することができる。また、この結果、この外壁塗装装置１は、外壁の塗装作業を常に安定した状態で行うことができる。
【００４１】
また、本実施の形態の外壁塗装装置１では、受け部１４に着脱可能とされた水平レール３が塗装機本体２２を移動可能に間接的に支持するようにした。しかし、レールによる塗装機本体２２の支持形態としては、本実施の形態に限定されない。例えば、塗装機本体２２を直接支持するように水平レールを構成しても良い。その他には、受け部１４に着脱可能とするレールを垂直レールにして、この垂直レールが塗装機本体２２を移動可能に直接支持しても良い。
【００４２】
また、本実施の形態の外壁塗装装置１では、水平レール３と垂直レール２１とを用いて塗装機本体２２を水平方向と垂直方向とに移動可能に支持するようにした。これにより、塗装機本体２２の移動範囲が広がるので、外壁の塗装作業を効率良く行うことができる。
【００４３】
また、受け部１４は既存の部材であり、水平レール３は、この既存の受け部１４に着脱可能となるようにした。そのため、水平レール３の取り付けに際しては、足場１１側に水平レール３専用の取付部材を設ける必要はない。よって、本実施の形態の外壁塗装装置１は、設置作業の作業効率を上げることができる。
【００４４】
さらに、本実施の形態の外壁塗装装置１では、既存の受け部１４が平面視でコ字型に形成されているため、この受け部１４に係止するように係止部８を水平レール３の両端部に設けた。したがって、水平レール３の取り付け作業を容易に行うことが可能になる。よって、本実施の形態の外壁塗装装置１は、設置作業の作業効率をさらに上げることができる。
【００４５】
また、当接部（上当接部８３と下当接部８４）を設けたことにより、係止部８の取り付け状態が安定する。よって、本実施の形態の外壁塗装装置１は、設置状態をさらに安定させることができ、外壁の塗装作業をさらに安定した状態で行うことができる。
【００４６】
また、水平レール３は、コーナーレール４を備えたことにより、外壁の角部に対応して平面視で弧状の部分を有している。これにより、塗装機本体付垂直レール２（塗装機本体２２）を外壁の角部に沿って曲がれるようにすることが可能になる。よって、本実施の形態の外壁塗装装置１は、外壁の塗装作業の作業効率を上げることができる。
【００４７】
また、コーナーレール４の曲がり角部６ｂに当接部７を設けたので、コーナーレール４の取り付け状態が安定する。よって、本実施の形態の外壁塗装装置１は、設置状態をさらに安定させることができ、外壁の塗装作業をさらに安定した状態で行うことができる。
【００４８】
また、係止部８は、図７に示すように、隣接する２つの係止部８（コーナーレール４側の係止部８、直線レール５側の係止部８）が共通の受け部１４に係止されるように形成されている。具体的に説明すると、１つの受け部１４に対して２つの係止部８が左右に配置した状態で係止するように係止部８の左右の厚みが調整されて形成されている。
【００４９】
係止部８を上記のように形成することにより、コーナーレール４と直線レール５との接続状態が安定する。よって、本実施の形態の外壁塗装装置１は、設置状態をさらに安定させることができ、外壁の塗装作業をさらに安定した状態で行うことができる。
【００５０】
以上、本件発明にかかる実施の形態を例示したが、これらの実施の形態は本件発明の内容を限定するものではない。また、本件発明の請求項の範囲を逸脱しない範囲であれば、各種の変更等は可能である。
【００５１】
例えば、本実施の形態では、コーナーレール４と直線レール５が分割された場合について２つの係止部８を共通の受け部１４に係止可能に形成したが、長い直線レールが分割可能に構成される場合にも、このような係止部８を使用できる。また、係止部８の形状や設置位置、各当接部７、８３、８４の形状や設置位置についても、請求項の範囲を逸脱しない範囲であれば本実施の形態に限定しなくても良い。
【産業上の利用可能性】
【００５２】
以上説明したように本件発明の外壁塗装装置は、安定して設置することができる。したがって、本件発明の外壁塗装装置を、その技術分野で十分に利用することができる。
【符号の説明】
【００５３】
１    外壁塗装装置
２    塗装機本体付垂直レール
３    水平レール
４    コーナーレール
５    直線レール
６ｂ    曲がり角部
７    当接部
８    係止部
１１    足場
１２    支柱
１２ａ    周面
１３    足場板
１４    受け部
１５    手摺棒
２１    垂直レール
２２    塗装機本体
８３    上当接部（当接部）
８４    下当接部（当接部）
【図１】
2012017582.tif 000003
【図２】
2012017582.tif 000004
【図３】
2012017582.tif 000005
【図４】
2012017582.tif 000006
【図５】
2012017582.tif 000007
【図６】
2012017582.tif 000008
【図７】
2012017582.tif 000009